(57)【要約】  本発明は、無香料組成物及び低香料の悪臭低減組成物及びこれら組成物の製造方法並びに使用方法に関する。本発明の悪臭低減組成物は、消費者製品、例えば、空気清浄組成物、洗濯用洗剤、ファブリックエンハンサー、表面クリーナー、ビューティケア製品、ディッシュケア製品、おむつ、女性保護用品、及びごみ袋用プラスチックフィルムでの使用を含む様々な用途に好適である。
2015520619.tif 000002
【特許請求の範囲】
【請求項１】
悪臭低減組成物であって、有効量、好ましくは前記悪臭低減組成物の５重量％〜１００重量％のパルミチン酸メチル、ファルネソール、ベチバーアセテート、ウンデシレンアルデヒド、酢酸テルピニル、メチルイソオイゲノール、フェニルアセトアルデヒドジメチルアセタール、パッチワンと、場合により、ベンゾフェノン、酸化ジフェニル、メロゾーン、酢酸イソノニル、セドリルメチルエーテル、及びこれらの混合物からなる群から選択される物質とを含む香料混合物を含み、前記悪臭低減組成物又は前記香料混合物が場合によりカプセル化される、悪臭低減組成物。
【請求項２】
セドリルメチルエーテル、フロルヒドラル、ヘリオナール、バートフィクスクール、及びこれらの混合物を含む、請求項１に記載の悪臭低減組成物。
【請求項３】
前記香料混合物が、フローラルスーパー、２−エトキシベンジルアルデヒド、２−イソプロピル−５−メチル−２−ヘキセナール、５−メチルフルフラール、５−メチル−チオフェン−カルボキサルデヒド、ｐ−アニスアルデヒド、ベンジルアルデヒド、ケイ皮アルデヒド、デシルアルデヒド、リグストラル、リラール、メロナール、ｏ−アニスアルデヒド、Ｐ．Ｔ．ブシナール、チオフェンカルボキサルデヒド、トランス−４−デセナール、トランストランス−２，４−ノナジエナール、ウンデシルアルデヒド、及びこれらの混合物からなる群から選択される少なくとも１つのアルデヒドを含む、請求項１に記載の悪臭低減組成物。
【請求項４】
前記香料混合物が、５％〜１００％のベンゾフェノン、パルミチン酸メチル、ファルネソール、ベチバーアセテート、及びウンデシレンアルデヒドを含有する、請求項１に記載の悪臭低減組成物。
【請求項５】
前記香料混合物が、アコードＡ、アコードＢ、アコードＣ、及びこれらの混合物からなる群から選択されるアルデヒド混合物を含有する、請求項１に記載の悪臭低減組成物。
【請求項６】
前記香料混合物の１重量％〜１０重量％のアコードＡを含有する、請求項１に記載の悪臭低減組成物。
【請求項７】
悪臭低減組成物の０．１重量％〜１．５重量％の量の酸触媒を含有する、請求項２に記載の悪臭低減組成物。
【請求項８】
前記酸触媒が、２５℃で０．００１〜２０ｔｏｒｒ（０．１３３Ｐａ〜２６６６Ｐａ）の蒸気圧を有し、好ましくは前記酸触媒がカルボン酸であり、好ましくは前記酸触媒が５−メチルチオフェンカルボン酸である、請求項７に記載の悪臭低減組成物。
【請求項９】
前記酸触媒が、１〜７、３〜６、あるいは４〜６．５のｐＫａを有する、請求項７に記載の悪臭低減組成物。
【請求項１０】
臭気マスキング剤、臭気ブロッキング剤、希釈剤、及びこれらの混合物からなる群から選択される成分を含む、請求項１に記載の悪臭低減組成物。
【請求項１１】
酢酸テルピニル、メチルイソオイゲノール、フェニルアセトアルデヒドジメチルアセタール、及びパッチワンからなる群から選択される少なくとも２つ、少なくとも３つ、又は少なくとも４つの香料素材を前記香料混合物の５重量％〜１００重量％、好ましくは１２重量％〜３０重量％含む香料混合物を含み、前記悪臭低減組成物又は前記香料混合物が場合によりカプセル化される、悪臭低減組成物。
【請求項１２】
前記香料混合物が、セドリルメチルエーテル、フロルヒドラル、ヘリオナール、ウンデシレンアルデヒド、ベチバーアセテート、バートフィクスクール、及びこれらの混合物を含む、請求項１１の悪臭低減組成物。
【請求項１３】
スティラックスクールと、酢酸テルピニル、メチルイソオイゲノール、フェニルアセトアルデヒドジメチルアセタール、パッチワン、及びこれらの混合物からなる群から選択される少なくとも１つの有効量の香料素材と、を含む香料混合物を含み、前記悪臭低減組成物又は前記香料混合物がカプセル化される、悪臭低減組成物。
【請求項１４】
請求項１に記載の組成物、請求項１１に記載の組成物、請求項１３に記載の組成物、及びこれらの混合物からなる群から選択される組成物を含む、プラスチックフィルム。
【請求項１５】
ＬＬＤＰＥ、ＬＤＰＥ、ＨＤＰＥ、及び／又はコンポスタブルフィルムを含む、請求項１４に記載のプラスチックフィルム。
【請求項１６】
前記プラスチックフィルム２０グラム当たり０．５ｍｇ〜１００ｍｇの前記悪臭低減組成物を含む請求項１４に記載のプラスチックフィルム。
【請求項１７】
前記悪臭低減組成物を５ｍｇ〜３０ｍｇ含む、請求項１４に記載のプラスチックフィルム。
【請求項１８】
前記悪臭低減組成物を５ｍｇ〜１５ｍｇ含む、請求項１４に記載のプラスチックフィルム。
【請求項１９】
悪臭を含む前記物質を、請求項１に記載の組成物、請求項１１に記載の組成物、請求項１３に記載の組成物、及びこれらの混合物からなる群から選択される組成物と接触させる工程を含む、悪臭を抑制する方法。
【請求項２０】
前記組成物と接触させる工程が、悪臭を含む前記物質を、悪臭を含む前記物質２０グラム当たり１ｍｇ〜５０ｍｇ、３ｍｇ〜３０ｍｇ、又は５ｍｇ〜２０ｍｇの前記組成物と接触させる工程を含む、請求項１９に記載の方法。
【発明の詳細な説明】
【技術分野】
【０００１】
本発明は、無香料及び低香料の悪臭低減組成物及びこれらの組成物の製造方法並びに使用方法に関する。
【背景技術】
【０００２】
無香料又は低香料製品は、香料入り商品より自然で、より控え目と考えられる場合があり、消費者に好まれる。悪臭を抑制するための無香料又は低香料製品のメーカーは、悪臭を低減するうえで悪臭低減材料又はその他の技術（例えばフィルター）に頼っている。しかしながら、アミン系悪臭（例えば、魚や尿）及び硫黄系悪臭（例えば、ニンニクや玉ねぎ）を両方とも効果的に抑制することは困難であり、また、ある製品が悪臭を著しく減じるには時間がかかることが、悪臭に対するその製品の効能に関して消費者の疑いを生じさせることもある。メーカーは、抑えることが困難なこれらの悪臭を隠し易くするために、芳香剤を添加することがしばしばある。
【０００３】
米国特許出願第１３／２４９，６１６号には、悪臭を抑える無香料及び低香料の悪臭低減組成物が開示されている。残念ながら、そのような組成物を製造するために使用される原料の範囲は大きく限られている。驚いたことに、本出願人は、高い蒸気圧（例えば、２５℃で１３．３Ｐａ（０．１ｔｏｒｒ）より高い蒸気圧）を有する香料原材料は、単位空気量当たりの香料分子数がより大きいので、際だった匂いを発すると思われるが、高い蒸気圧を有する一部の香料原材料は、本願に記載するレベルで使用すると、匂いをほとんど又はまったく発せず、悪臭を低減するという知見を得た。
【先行技術文献】
【特許文献】
【０００４】
【特許文献１】米国特許出願第１３／２４９，６１６号
【発明の概要】
【発明が解決しようとする課題】
【０００５】
本発明は、無香料及び低香料の悪臭低減組成物及びこれら組成物の製造方法並びに使用方法に関する。本発明の悪臭低減組成物は、消費者製品、例えば、空気清浄組成物、洗濯洗剤、ファブリックエンハンサー、表面クリーナー、ビューティケア製品、ディッシュケア製品、おむつ、女性保護用品、及びごみ袋用プラスチックフィルムでの使用を含む様々な用途に好適である。
【図面の簡単な説明】
【０００６】
【図１】様々な酸触媒と組み合わせたチオフェンカルボキシアルデヒドによるブタンチオール低減の様子を示すグラフである。
【発明を実施するための形態】
【０００７】
本願で使用する「消費者製品」という用語は、販売された形で使用され、消費されることを意図し、販売後商業的製造又は改変を行うことを意図しないベビーケア、ビューティケア、ファブリックケア及びホームケア、家族ケア、女性ケア、ヘルスケア、スナック及び／又は飲料製品、又は用品を意味する。このような製品としては、非限定例として、下記の製品が含まれる：おむつ、胸当て、ハンカチ；脱色、カラーリング、染色、コンディショニング、洗髪、整髪を含む毛（人間、犬、及び／又は猫の）の手入れに関連する製品及び／又は方法；脱臭剤及び制汗剤；パーソナルクレンジング；化粧品；消費者向けのクリーム剤、ローション剤、及びその他の局所塗布用製品の使用を含むスキンケア製品；及びシェービング用品；下記を含むファブリックケア及びホームケアの分野におけるファブリック、硬表面、及びその他の表面の手入れに関連する製品及び／又は方法：エアケア、カーケア、食器洗い、洗浄力剤、ファブリックコンディショニング（柔軟剤を含む）、洗濯用洗浄力剤、洗濯添加剤及びすすぎ添加剤及び／又はケア剤、硬表面洗浄及び／又は処理、及び消費者又は業務用のその他の洗浄；トイレットペーパー、化粧紙、ペーパーハンカチ、及び／又はペーパータオルに関連する製品及び／又は方法；タンポン、女性用ナプキン；練り歯磨き、歯ジェル、歯用リンス剤、入れ歯安定剤、歯のホワイトニング剤を含む口腔ケアに関連する製品及び／又は方法；咳止め及びかぜ薬、鎮痛剤、ＲＸ調剤、ペットの健康及び栄養用品、及び浄水を含む店頭販売のヘルスケア製品；主として通常の食事間の消費用又は食事の付け合わせとしての加工食品（非限定例としては、ポテトチップス、トルティーヤチップ、ポップコーン、プレッツェル、コーンチップ、シリアルバー、野菜チップ又はクリスプ、スナックミックス、パーティミックス、マルチグレインチップ、スナッククラッカー、チーズスナック、ポークラインズ、コーンスナック、ペレットスナック、押出スナック、及びベーグルチップが含まれる）；及びコーヒー。
【０００８】
本願で使用する「有エネルギー源型システム」とは、バッテリー又は壁の電気コンセントのような電気的エネルギー源及び／又は力学的エネルギー源を用いて悪臭低減組成物を放出するように動作するシステムを意味する。このような装置の例としては、液体電気プラグ接続型空気清浄装置があるが、これに限定されない。
【０００９】
本願で使用する「悪臭」とは、排便にともなう複合臭のようなほとんどの人々にとって一般に不快であるか不愉快である化合物を意味する。
【００１０】
本願で使用する「中和する」又は「中和」とは、化合物又は製品が悪臭化合物を低減するか又は除去する能力を意味する。悪臭中和は部分的なものである場合があり、与えられた状況において特定の悪臭化合物のみに作用するか又は悪臭化合物の一部のみにしか作用しないものでありうる。悪臭化合物は、新しい化学物質を生じる化学反応、金属イオン封鎖、キレート化、会合、又は悪臭化合物をそれほど悪臭が強くないか又は無悪臭にする他の相互作用によって中和されうる。臭気マスキング又は臭気ブロッキングは、悪臭化合物の状態に中和に相当する変化がない、悪臭を知覚する能力の変化であるのに対して、中和は、悪臭化合物の変化があるという点で、臭気マスキングや臭気ブロッキングと区別することができる。悪臭中和は、感覚的で分析測定（例えばガスクロマトグラフによる）が可能な悪臭低減法を与えるものである。したがって、ある悪臭低減組成物が真の悪臭中和をもたらすならば、その組成物は気相及び／又は液相における悪臭を低減すると考えられる。
【００１１】
本願で使用する用語「無エネルギー源型システム」とは、目的とする有効成分を受動的に、又は電気エネルギー源の必要なしに放出するシステムを意味する。携帯型のエアゾール噴霧器及び従来のトリガー／ポンプ噴霧器は無エネルギー源型システムとみなされる。
【００１２】
本願で使用する用語「臭気ブロッキング」は、人間の嗅覚を鈍くすることができる化合物の能力を意味する。
【００１３】
本願で使用する用語「臭気マスキング」は、悪臭化合物を感知する能力を制限するように投与される、不快でない、又は心地よい匂いを有する化合物の能力を意味する。臭気マスキングは、予期される悪臭と協調することで臭気化合物の組み合わせによって与えられる全体的な匂いの知覚を変化させる化合物の選択をともなう場合がある。
【００１４】
本願で使用する用語「ａ」、「ａｎ」、及び「ｔｈｅ」は、「１つ又はそれ以上」を意味する。
【００１５】
本願で使用する、用語「ｉｎｃｌｕｄｅ」、「ｉｎｃｌｕｄｅｓ」、及び「ｉｎｃｌｕｄｉｎｇ」は、非限定であることを意味する。
【００１６】
別途明記する場合を除き、すべての成分又は組成物の濃度は、それらの成分又は組成物の有効成分についての濃度であり、そのような成分又は組成物の市販の原料物質中に含まれうる不純物、例えば、残留溶媒、副生成物は除外する。
【００１７】
別途明示する場合を除き、パーセント及び比はすべて、重量パーセント、重量比とする。別途明示する場合を除き、パーセント及び比はすべて、組成物全量に基づいて計算する。
【００１８】
本明細書全体を通して記載されるすべての最大の数値限定は、それよりも小さいすべての数値限定を、そのようなより小さい数値限定があたかも本明細書に明示的に記載されているものと同様にして包含するものと理解するべきである。本明細書全体を通して記載されるすべての最小数値限定は、それより大きいすべての数値限定を、そのようなより大きい数値限定があたかも本明細書に明示的に記載されているものと同様にして包含する。本明細書全体を通して記載されるすべての数値範囲は、それより狭いすべての数値範囲を、そのようなより狭い数値範囲がすべてあたかも本明細書に明示的に記載されているものと同様にして包含する。
【００１９】
悪臭低減組成物
本発明は、無香料及び低香料の悪臭低減組成物及びこれら組成物の製造方法並びに使用方法に関する。本発明の無香料及び低香料悪臭低減組成物は、ほぼ匂いがない香料混合物を含有する。したがって、このような本発明の組成物は、単に悪臭をマスキングするだけでなく、悪臭中和及び臭気ブロッキング技術によって悪臭を低減する。組成物の知覚可能な芳香強度及び悪臭の有効性は、本願で概説する試験を用いて定量することができる。
【００２０】
本発明の悪臭低減組成物は、硫黄系悪臭を中和することができる有効量の酸触媒を含有するものがある。一部の緩酸は、液相及び気相におけるチオールとアルデヒドの反応性に影響を及ぼすという知見が得られている。チオールとアルデヒドとの反応は、ヘミチオアセタール及びチオアセタール生成経路のメカニズムに従う触媒反応であることが明らかにされている。本発明の悪臭低減組成物が酸触媒を含有しており、硫黄系悪臭と接触する場合、揮発性のアルデヒドがチオールと反応する。この反応は、チオールアセタール化合物を生成し、これにより硫黄系悪臭を中和する可能性がある。酸触媒がないと、ヘミチオ−ルアセタールのみが生成する。
【００２１】
有効量のパルミチン酸メチル、ファルネソール、ベチバーアセテート、ウンデシレンアルデヒド、酢酸テルピニル、メチルイソオイゲノール、フェニルアセトアルデヒドジメチルアセタール、パッチワン、及び場合により、ベンゾフェノン、酸化ジフェニル、メロゾーン、酢酸イソノニル、セドリルメチルエーテル、及びこれらの混合物からなる群から選択される物質を含む香料混合物からなる悪臭低減組成物が提供され、場合によりカプセル化された前記悪臭低減組成物又は場合により香料混合物が開示される。本願において、前記悪臭低減組成物を「悪臭低減組成物１」に指定する。
【００２２】
一態様において、前記悪臭低減組成物の香料混合物の含有量は、悪臭低減組成物の重量パーセントで、最大１００％、又は約５％〜約１００％、又は約１０％〜約１００％、又は約３０％〜約１００％、又は約５０％〜約１００％、又は約７０％〜約１００％、又は約８０％〜約１００％、又は、悪臭低減組成物の重量パーセントで、約０．００１％〜約５％、又は約０．００１％〜約２％、又は約０．００１％〜約０．５％、又は約０．００１％〜約０．３％、又は約０．００１％〜約０．１％、又は約０．００１％である。
【００２３】
一態様において、前記悪臭低減組成物は、セドリルメチルエーテル、フロルヒドラル（florhydral）、ヘリオナール（helional）、バートフィクスクール（vertofix couer）及びこれらの混合物を含有する。
【００２４】
一態様において、前記悪臭低減組成物の香料混合物は、フローラルスーパー（floral super）、２−エトキシベンジルアルデヒド、２−イソプロピル−５−メチル−２−ヘキセナール、５−メチルフルフラール、５−メチル−チオフェン−カルボキシアルデヒド、ｐ−アニスアルデヒド、ベンジルアルデヒド、ケイ皮アルデヒド、デシルアルデヒド、リグストラル（Ligustral）、リラール（Lyral）、メロナール（Melonal）、ｏ−アニスアルデヒド、Ｐ．Ｔ．ブシナール（P.T.Bucinal）、チオフェンカルボキシアルデヒド、トランス−４−デセナール、トランス，トランス−２，４−ノナジエナール、ウンデシルアルデヒド、及びこれらの混合物からなる群から選択される少なくとも１つのアルデヒドを含有する。
【００２５】
一態様において、前記悪臭低減組成物の香料混合物は、約５％〜約１００％、約８％〜約７０％、約１０％〜約５０％、又は約１２％〜約３０％のベンゾフェノン、パルミチン酸メチル、ファルネソール、ベチバーアセテート、及びウンデシレンアルデヒドを含有する。
【００２６】
一態様において、前記悪臭低減組成物の香料混合物は、アコードＡ、アコードＢ、アコードＣ及びその混合物からなる群から選択されるアルデヒド混合物を含有する。それらのアコードは以下に示すとおりである。
【００２７】
【表１】
2015520619.tif 000003
【００２８】
【表２】
2015520619.tif 000004
【００２９】
【表３】
2015520619.tif 000005
【００３０】
アコードＡ、Ｂ、又はＣは、悪臭低減組成物の香料混合物で、例えば、本願明細書の表１〜７に概要を示す香料混合物に、香料混合物の重量パーセントで約５％〜約５０％、又は約５％〜約４０％、又は約５％〜約３０％、又は約５％〜約２０％、又は約５％〜約１０％を配合することができる。
【００３１】
一態様において、前記悪臭低減組成物の香料混合物は、前記香料混合物の重量パーセントで、約１％〜約１０％のアコードＡを含有する。
【００３２】
一態様において、前記悪臭低減組成物は、悪臭低減組成物の全重量に基づいて、約０．０５％〜約５％、又は０．１％〜約１．５％、又は約０．１％〜約１．０％、又は約０．１％〜約０．５％、又は約０．１％〜約０．４％、又は約０．４％〜約１．５％、又は約０．４％の酸触媒を含有する。
【００３３】
一態様において、前記悪臭低減組成物の酸触媒は弱酸であってもよい。弱酸は、弱酸の解離の平衡定数である酸解離定数Ｋaによって特徴付けられ、Ｋaの負の常用対数に等しい値をｐＫａで表す。
【００３４】
一態様において、前記悪臭低減組成物の酸触媒は、２５℃で測定して、約０．１３３Ｐａ〜約５０６６Ｐａ（約０．００１ｔｏｒｒ〜約３８ｔｏｒｒ）、又は約０．１３３Ｐａ〜約１８６７Ｐａ（約０．００１ｔｏｒｒ〜約１４ｔｏｒｒ）又は、約１．３３Ｐａ〜約２６．６７Ｐａ（約０．０１ｔｏｒｒ〜約２ｔｏｒｒ）、約０．１３３Ｐａ〜約１３３Ｐａ（約０．００１ｔｏｒｒ〜約１ｔｏｒｒ）、又は約０．１３３Ｐａ〜約２．６７Ｐａ（約０．００１ｔｏｒｒ〜約０．０２０ｔｏｒｒ）、又は約０．６７Ｐａ〜約２．６７Ｐａ（約０．００５ｔｏｒｒ〜約０．０２０ｔｏｒｒ）、又は約１．３３Ｐａ〜約２．６７Ｐａ（約０．０１０ｔｏｒｒ〜約０．０２０ｔｏｒｒ）の蒸気圧を有する。
【００３５】
一態様において、前記悪臭低減組成物の酸触媒は、カルボン酸である。
【００３６】
一態様において、前記悪臭低減組成物の酸触媒は、５−メチルチオフェンカルボン酸である。
【００３７】
一態様において、前記悪臭低減組成物の酸触媒は、約１〜約７、約３〜約６、約４〜約６．５、約４．０〜約６．０、約４．３〜約５．７、約４．５〜約５、又は約４．７〜約４．９のｐＫａを有する。
【００３８】
一態様において、前記悪臭低減組成物の酸触媒は、ギ酸、酢酸、トリメチル酢酸、フェノール（気相でアルカリ性なるもに液相で酸性）、チグリン酸、カプリル酸、５−メチルチオフェンカルボン酸、コハク酸、安息香酸、及び／又はメシチレン酸から選択することができる。
【００３９】
一態様において、酸触媒は、中性の匂いをもたらすものを選択することが望ましい場合がある。このような酸触媒は、約２５℃で測定して、約０．１３３Ｐａ〜約２．６７Ｐａ（約０．００１ｔｏｒｒ〜約０．０２０ｔｏｒｒ）、又は約０．６７Ｐａ〜約２．６７Ｐａ（約０．００５ｔｏｒｒ〜約０．０２０ｔｏｒｒ）、又は約１．３３Ｐａ〜約２．６７Ｐａ）（約０．０１０ｔｏｒｒ〜約０．０２０ｔｏｒｒ）の蒸気圧を持ってもよい。そのような酸触媒の非限定例としては、コハク酸及び安息香酸が挙げられる。
【００４０】
酢酸系では、本発明の悪臭低減組成物は、酢酸約０．４％（５０：５０チオフェンカルボキシアルデヒド（ＴＣ）：ジプロピレングリコールメチルエーテル（ＤＰＭ）の０．４％酢酸）を含んでもよい。データを次表に記載する。
【００４１】
【表４】
2015520619.tif 000006
【００４２】
酸触媒がアルデヒドと共に存在する場合、酸触媒は、アルデヒド自体の悪臭低減効果と比較して、悪臭に対するアルデヒドの効果を高めることが可能である。例えば、１％のアルデヒドと１．５％の安息香酸は、アルデヒドが単独で５％の組成以上の悪臭除去効果がある。
【００４３】
水溶液として配合した場合、本発明の悪臭低減組成物は、約３〜約８、又は約４〜約７、又は約４〜約６のｐＨを有することができる。
【００４４】
一態様において、前記悪臭低減組成物は、臭気マスキング剤、臭気ブロッキング剤、希釈剤、及びこれらの混合物からなる群から選択される成分を含有する。
【００４５】
スティラックスクール（styrax coeur）と、酢酸テルピニル、メチルイソオイゲノール、フェニルアセトアルデヒドジメチルアセタール、パッチワン、及びこれらの混合物からなる群から選択される有効量の少なくとも１つの香料素材と、を含有する香料混合からなる悪臭低減組成物が開示され、場合により、前記悪臭低減組成物又は香料混合物はカプセル化することができる。この悪臭低減組成物を「悪臭低減組成物２」に指定する。
【００４６】
香料混合物の重量パーセントで、約５％〜約１００％、約８％〜約７０％、約１０％〜約５０％、又は約１２％〜約３０％の酢酸テルピニル、メチルイソオイゲノール、フェニルアセトアルデヒドジメチルアセタール、及びパッチワンからなる群から選択される少なくとも２つ、少なくとも３つ、又は少なくとも４つの香料素材を含有する香料混合物からなる悪臭低減組成物が開示され、場合により、これらの悪臭低減組成物又は香料混合物はカプセル化することができる。この悪臭低減組成物を「悪臭低減組成物３」に指定する。
【００４７】
一態様において、悪臭低減組成物の香料混合物は、セドリルメチルエーテル、フロルヒドラル、ヘリオナール、ウンデシレンアルデヒド、ベチバーアセテート、バートフィクスクール、及びこれらの混合物を含有する。
【００４８】
その他の香料素材
本発明で使用することが可能なその他の香料素材としては、ベンゾフェノン、パルミチン酸メチル、ファルネソール、ベチバーアセテート、セドリルメチルエーテル、バートフィクスクール（メチルセドリロン）、及びこれらの混合物が含まれる。また、好適な香料素材としては、ヘリオナール（α−メチル−３，４−（メチレンジオキシ）−ヒドロシンナムアルデヒド）、フロルヒドラル（Florhydral）、ウンデシレンアルデヒド、アドキサル（２，６，１０−トリメチル−９−ウンデセナール）、ブルゲオナール（４−ｔ−ブチルベンゼンプロピオンアルデヒド）、サイマール、フロルヒドラル（３−（３−イソプロピル−フェニル）−ブチルアルデヒド）、シトロネラール（３，７−ジメチル６−オクテナール）、フローラルオゾン（パラ−エチル−α，α−ジメチルヒドロシンナムアルデヒド）、フローラルスーパー、ピーノアセトアルデヒド（Pino Acetaldehyde）、スティラックスクールを挙げることができる。
【００４９】
また、好適な香料素材としては、非限定例として、リレストラリス（Lilestralis）３３（２−メチル−４−ｔ−ブチルフェニル）プロパナール、ケイ皮アルデヒド、シンナムアルデヒド（フェニルプロペナ−ル、３−フェニル−２−プロペナ−ル）、シトラール、ゲラニアール、ネラール（ジメチルオクタジエナール、３，７−ジメチル−２，６−オクタジエン−１−アール）、シクラールＣ（２，４−ジメチル−３−シクロヘキセン−１−カルバルデヒド）、シクラメンアルデヒド、シクロサル（Cyclosal）、ライムアルデヒド（α−メチル−ｐ−イソプロピルフェニルプロピルアルデヒド）、メチルノニルアセトアルデヒド、アルデヒドＣ１２  ＭＮＡ（２−メチル−１−ウンデカナール）、ヒドロキシシトロネラ−ル（Hydroxycitronellal）、シトロネラール水和物（７−ヒドロキシ−３，７−ジメチルオクタン−１−アール）、ヒドロシンナムアルデヒド（３−フェニルプロパナール、３−フェニルプロピオンアルデヒド）、インタレーベンアルデヒド（ウンデカ−１０−エン−１−アール）、リグストラル（Ligustral）、トリベルタール（Trivertal）（２，４−ジメチル−３−シクロヘキセン−１−カルボキシアルデヒド）、ジャスモランジ（Jasmorange）、サティンアルデヒド（satinaldehyde）（２−メチル−３−トリプロピオンアルデヒド、４−ジメチルベンゼンプロパナール）、リラール（Lyral）（４−（４−ヒドロキシ−４−メチルペンチル）−３−シクロヘキセン−１−カルボキシアルデヒド）、メロナール（２，６−ジメチル−５−ヘプテナール、メトキシメロナール（Metoxy Melonal）（６−メトキシ−２，６−ジメチルヘプタナール、メトキシシンナムアルデヒド（methoxycinnamaldehyde）（トランス−４−メトキシシンナムアルデヒド）、ミラックアルデヒド（Mirac aldehyde）イソヘキセニルシクロヘキセニル−カルボキシアルデヒド、トリファーナル（trifernal）（（３−メチル−４−フェニルプロパナール、３−フェニルブタナール、リリアル（lilial）、Ｐ．Ｔ．ブシナール（P.T.Bucinal）、リスメラール（lysmeral）、ベンゼンプロパナール（４−ｔ−ブチル−α−メチルヒドロシンナムアルデヒド）、デュピカル（Dupical）、トリシクロデシリデンブタナール（４−トリクロロ５２１０−２，６デシリデン−８ブタナール）（4-Tricyclo5210-2,6decylidene-8butanal）、メラフルール（Melafleur）（１，２，３，４，５，６，７，８−オクタヒドロ−８，８−ジメチル−２−ナフタルデヒド（naphthaldehyde）、メチルオクチルアセトアルデヒド、アルデヒドＣ−１１  ＭＯＡ（２−メチルデカ−１−アール）、オニシダル（Onicidal）（２，６，１０−トリメチル−５，９−ウンデカジエン−１−アール）、ミューゲアルデヒド５０（３，７−ジメチル−６−オクテニル）オキシアセトアルデヒド、フェニルアセトアルデヒド、メフラナール（Mefranal）（３−メチル−５−フェニルペンタナール）、トリプラ−ル（Triplal）、バートシトラール（Vertocitral）ジメチルテトラヒドロベンゼンアルデヒド（２，４−ジメチル−３−シクロヘキセン−１−カルボキシアルデヒド）、２−フェニルプロピオンアルデヒド、ヒドロトロパルデヒド（Hydrotropaldehyde）、カントキサル（Canthoxal）、アニシルプロパナール（anisylpropanal）４−メトキシ−α−メチルベンゼンプロパナール（２���アニシリデンプロパナール）、シクレモンＡ（１，２，３，４，５，６，７，８−オクタヒドロ−８、８−ジメチル−２−ナフトアルデヒド）、及びプレシクレモン（Precylcemone）Ｂ（１−シクロヘキセン−１−カルボキシアルデヒド）を含む揮発性アルデヒド又は反応性アルデヒドを挙げることができる。
【００５０】
また、好適なアルデヒドとしては、アセトアルデヒド（エタナール）、ペンタナール、バレルアルデヒド、アミルアルデヒド（amylaldehyde）、センテナール（オクタヒドロ−５−メトキシ−４，７−メタノ−１Ｈ−インデン−２−カルボキシアルデヒド）、プロピオンアルデヒド（プロパナール）、シクロシトラール（Cyclocitral）、β−シクロシトラール（２，６，６−トリメチル−１−シクロヘキセン−１−アセトアルデヒド）、イソシクロシトラール（２，４，６−トリメチル−３−シクロヘキセン−１−カルボキシアルデヒド）、イソブチルアルデヒド、ブチルアルデヒド、イソバレルアルデヒド（３−メチルブチルアルデヒド）、メチルブチルアルデヒド（２−メチルブチルアルデヒド、２−メチルブタナール）、ジヒドロシトロネラール（Dihydrocitronellal）（３，７−ジメチルオクタン−１−アール）、２−エチルブチルアルデヒド、３−メチル−２−ブテナール、２−メチルペンタナール、２−メチルバレルアルデヒド、ヘキセナール（２−ヘキセナール、トランス−２−ヘキセナール）、ヘプタナール、オクタナール、ノナナール、デカナール、トリデカナール、２−ドデカナール、メチルチオブタナール、グルタルアルデヒド、ペンタンジアール（Pentanedial）、グルタルアルデヒド、ヘプテナール、シス又はトランス−ヘプテナール、ウンデセナール（２−、１０−）、２，４−オクタジエナール、ノネナール（２−、６−）、デセナール（２−、４−）、２，４−ヘキサジエナール、２，４−デカジエナール、２，６−ノナジエナール、オクテナール、２，６−ジメチル−５−ヘプテナール、２−イソプロピル−５−メチル−２−ヘキセナール、トリファーナル（Trifernal）、β−メチルベンゼンプロパナール、２，６，６−トリメチル−１−シクロヘキセン−１−アセトアルデヒド、フェニルブテナール（２−フェニル２−ブテナール）、２−メチル−３−（ｐ−イソプロピルフェニル）−プロピオンアルデヒド、３−（ｐ−イソプロピルフェニル）−プロピオンアルデヒド、ｐ−トリルアセトアルデヒド（４−メチルフェニルアセトアルデヒド）、アニスアルデヒド（ｐ−メトキシベンゼンアルデヒド）、ベンズアルデヒド、ベルンアルデヒド（Vernaldehyde）（１−メチル−４−（４−メチルペンチル）−３−シクロヘキセンカルバルデヒド）、）ヘリオトロピン（ピペロナール）３，４−メチレンジオキシベンズアルデヒド、α−アミルシンナミックアルデヒド、２−ペンチル−３−フェニルプロペンアルデヒド、バニリン（４−メトキシ３−ヒドロキシベンズアルデヒド）、エチルバニリン（３−エトキシ４−ヒドロキシベンズアルデヒド）、ヘキシルシンナミックアルデヒド、ジャスモナル（Jasmonal）Ｈ（α−ｎ−ヘキシル−シンナムアルデヒド）、アカレア（Acalea）（ｐ−メチル−α−ペンチルシンナムアルデヒド）、メチルシンナムアルデヒド、α−メチルシンナムアルデヒド（２−メチル３−フェニルプロペナ−ル）、α−ヘキシルシンナムアルデヒド（２−ヘキシル３−フェニルプロペナ−ル）、サリチルアルデヒド（２−ヒドロキシベンズアルデヒド）、４−エチルベンズアルデヒド、クミンアルデヒド（４−イソプロピルベンズアルデヒド）、エトキシベンズアルデヒド、２，４−ジメチルベンズアルデヒ���、ベラトルムアルデヒド（Veratraldehyde）（３，４−ジメトキシベンズアルデヒド）、シリンガアルデヒド（syringaldehyde（３，５−ジメトキシ４−ヒドロキシベンズアルヒド）、カテックアルデヒド（Catechaldehyde）（３，４−ジヒドロキシベンズアルデヒド）、サフラナール（２，６，６−トリメチル−１，３ージエンメタナール）、ミルテナール（Myrtenal）（ピン−２−エン−１−カルバルデヒド）、ペリラアルデヒド（Perillaldehyde）Ｌ−４（１−メチルエテニル）−１−シクロヘキセン−１−カルボキシアルデヒド）、２，４−ジメチル−３−シクロヘキセンカルボキシアルデヒド、２−メチル−２−ペンテナール、２−メチルペンテナール、ピルブアルデヒド、ホルミルトリシクロデカン、マンダリンアルデヒド、サイクルマックス（Cyclemax）、コーアイリス（Corps Iris）、マシール（Maceal）、及びコー（Corps）４３２２を挙げることができる。
【００５１】
一部の実施形態においては、悪臭低減組成物は速反応性アルデヒドを含有する。「速反応性アルデヒド」とは、（１）アミン臭を４０秒より短時間で２０％以上低減するか、又は、（２）チオール臭を３０分より短時間で２０％以上低減するアルデヒドを意味する。速反応性アルデヒドは、「分析試験−アミン系及び硫黄系悪臭に対するアルデヒドの効果」という見出しで本願中に概説した例に記載する方法によって確認することができる。
【００５２】
表１は、本発明の悪臭低減組成物に好適な香料混合物の一実施形態を示す。
【００５３】
【表５】
2015520619.tif 000007
【００５４】
表２  ＆  ３は、本発明の悪臭低減組成物に好適な香料混合物の他の実施形態を示す。
【００５５】
【表６】
2015520619.tif 000008
【００５６】
【表７】
2015520619.tif 000009
【００５７】
表４はやはり、本発明の悪臭低減組成物に好適な香料混合物の他の実施形態を示す。
【００５８】
【表８】
2015520619.tif 000010
【００５９】
表５はやはり、エアゾール系悪臭低減組成物に好適な香料混合物の他の実施形態を示す。
【００６０】
【表９】
2015520619.tif 000011
【００６１】
表６は、無エネルギー源型膜式エアフレッシュナー、例えばＦｅｂｒｅｚｅ（登録商標）Ｓｅｔ  ＆  Ｒｅｆｒｅｓｈ（商標）エアフレッシュナー）用として好適な香料混合物のもう一つの実施形態を示す。
【００６２】
【表１０】
2015520619.tif 000012
【００６３】
表７は、液体電気プラグ接続型エアフレッシュナー（例えばＦｅｂｒｅｚｅ（登録商標）Ｎｏｔｉｃｅａｂｌｅｓ（商標）エアフレッシュナー）用として好適な香料混合物のもう一つの実施形態を示す。
【００６４】
【表１１】
2015520619.tif 000013
【００６５】
一部の実施形態において、悪臭低減組成物には、表１〜７に明示する香料素材の混合物、並びに２−エトキシベンジルアルデヒド、２−イソプロピル−５−メチル−２−ヘキセナール、５−メチルフルフラール、５−メチル−チオフェン−カルボキシアルデヒド、ｐ−アニスアルデヒド、ベンジルアルデヒド、ケイ皮アルデヒド、デシルアルデヒド、リグストラル（Ligustral）、リラール（Lyral）、メロナール、ｏ−アニスアルデヒド、Ｐ．Ｔ．ブシナール（P.T.Bucinal）、チオフェンカルボキシアルデヒド（ＴＣ）、トランス−４−デセナール、トランス、トランス−２，４−ノナジエナール、ウンデシルアルデヒド、及びこれらの混合物からなる群から選択される２つ以上のアルデヒドの混合物が含まれる。
【００６６】
揮発性が悪臭の中和にとって重要ではない一部の実施形態においては、本発明は、ポリアルデヒド、例えば、ジアルデヒド、トリアルデヒド、テトラアルデヒドを含むことができる。このような実施形態は、リーブオン、スルー・ザ・ウォッシュ、及びリンスオフ型の利用のための洗濯洗剤、添加剤などを含みうる。
【００６７】
カプセル剤の製造プロセス
好適な悪臭低減組成物カプセル剤の製造については、例えば縮合プロセス、並びにそのようなカプセル剤の好適なシェル材に関して、米国特許第６，８６９，９２３  Ｂ１号、及び米国特許出願公開公報第２００５／０２７６８３１  Ａ１号及び第２００７／０２０２６３  Ａ１号に製造方法が記載されている。このようなシェル材には、アクリル酸樹脂、アクリル樹脂、メラミンホルムアルデヒド材のようなアミノプラスト樹脂材、及びこれらの組み合わせが含まれる。本願で開示するプロセスで使用する好適な装置としては、連続攪拌槽反応器、ホモジナイザー、タービン撹拌器、再循環ポンプ、パドルミキサー、プラウシャー（bloughshear）ミキサー、リボンブレンダ、及びいずれもバッチ式の垂直軸造粒機及びドラムミキサー、また、利用可能な場合、連続工程構成における、噴霧乾燥器、及び押出機を挙げることができる。このような装置は、ロディゲ社（Lodige GmbH）（ドイツ、パーデルボルン）、リトルフォード・デイ社（Littleford Day, Inc.）（米国、ケンタッキー州フローレンス）、フォーベルグ社（Forberg AS）（ノルウェー、ラルヴィク）、グラット・エンジニア・テクニック社（Glatt Ingenieurtechnik GmbH）（ドイツ、ワイマール）、ニロ社（Niro）（デンマーク、セーボルグ）、ホソカワ・ビーペックス社（Hosokawa Bepex Corp.）（米国、ミネソタ州ミネアポリス）、アーデ・バリンコ社（Arde Barinco）（米国ニュージャージー州）から入手可能である。
【００６８】
任意成分
悪臭低減組成物は、場合により臭気マスキング剤及び／又は希釈剤を含んでもよい。
【００６９】
また、水溶液を作るには、組成物に任意量の水及び界面活性剤を含有させることができる。一部の実施形態においては、水は、悪臭低減組成物の重量パーセントで、約８５％〜９９．５％、又は約９０％〜９９．５％、又は約９２％〜約９９．５％、又は約９５％の量を含有させることができる。また、少量の低分子量の一価アルコール、例えばエタノール、メタノール、及びイソプロパノール、又はエチレングリコール及びプロピレングリコールのような多価アルコールを含有する水も有用でありうる。
【００７０】
また、悪臭低減組成物は、本発明による無香料又は低香料香料混合物の含有率を１００％とすることも可能である。
【００７１】
本発明の悪臭低減組成物は、１つ以上の希釈剤と併用することができる。これらの希釈剤と併用する場合、悪臭低減組成物は、混合物をその全量として約１〜約８０％、又は約５％〜約５０％、又は１０％〜約３０％含有することができる。本発明で使用するには、芳香強度が低い希釈剤が好ましいが、これは必ずしも必要ではない。希釈剤の例としては、ＤＢＥ−ＬＶＰ（脂肪族エステル混合液（ＩＮＶＩＳＴＡ製のＣＡＳ番号１１１９−４０−０及びＣＡＳ番号６２７−９３−０）、ジプロピレングリコールメチルエーテル、３−メトキシ−３−メチル−１−ブタノール、酢酸イソノニル、ベンジルアルコール、フロロール、アジピン酸ジオクチル（ＣＡＳ番号１２３−７９−５）、トリプロピレングリコールメチルエーテル（ＣＡＳ番号２５４９８−４９−１）、ダウコーニング（Dow Corning）２００（Ｒ）フルイド（Fluid）、１．５ＣＳＴ（ｒ）．（ダウコーニング（the Dow Corning Co.）製）、ジプロピレングリコールｎ−プロピルエーテル、ザイアメター（Ｒ）ＰＭＸ−２００シリコーンフルイド（Silicone Fluid）１．５ＣＳ（登録商標）（ダウコーニング製）、セルロース、エチルエーテル、及びこれらの混合物が挙げられる。
【００７２】
悪臭低減組成物からなる製造品及びそのような組成物の使用方法
本発明の悪臭低減組成物は、気相及び／又は液相の悪臭を中和する種々の用途で使用することか可能である。
【００７３】
本願明細書に記載した悪臭低減組成物からなるプラスチックフィルムを開示する。
【００７４】
一態様において、このプラスチックフィルムは、悪臭低減組成物１、２及び／又は３からなる。
【００７５】
一態様において、このプラスチックフィルムは、低密度ポリエチレン（ＬＤＰＥ）、線状ＬＤＰＥ（ＬＬＤＰＥ）、高密度ポリエチレン、及び／又はコンポスタブルフィルムからなる。
【００７６】
一態様において、このプラスチックフィルムは、プラスチックフィルム２０グラム当たり、約０．５ｍｇ〜約１００ｍｇ、約０．５ｍｇ〜約５０ｍｇ、約５ｍｇ〜約３０ｍｇ、約５ｍｇ〜約１５ｍｇの上記悪臭低減組成物を含有する。
【００７７】
悪臭を含む物質を本願明細書に記載した悪臭低減組成物に接触させるステップを含む悪臭を抑制する方法を開示する。
【００７８】
一態様において、この方法は、悪臭を含む物質を悪臭低減組成物１、２、及び／又は３に接触させるステップを含む。
【００７９】
一態様において、この方法の接触させるステップは、悪臭を含む物質を、その２０グラム当たり、約１ｍｇ〜約５０ｍｇ、約３ｍｇ〜約３０ｍｇ、又は約５ｍｇ〜２０ｍｇの上記組成物に接触させるステップからなる。
【００８０】
一部の実施形態においては、本発明の悪臭低減組成物は、有エネルギー源型システムで使用することができる。
【００８１】
他の実施形態においては、悪臭低減組成物は、無エネルギー源型気相システムで使用するための配合組成とすることができる。無エネルギー源型システムで使用する場合、揮発性アルデヒドの蒸気圧は、２５℃で測定して、約０．１３３Ｐａ〜約２６６６Ｐａ（約０．００１ｔｏｒｒ〜約２０ｔｏｒｒ）、又は約１．３３Ｐａ〜約２６６６Ｐａ（約０．０１ｔｏｒｒ〜約２０ｔｏｒｒ）、又は約６．６７Ｐａ〜約１３３３Ｐａ（約０．０５ｔｏｒｒ〜約１０ｔｏｒｒ）とすることができる。無エネルギー源型気相システムの非限定例としては、商標名レンジット（Renuzit（登録商標）クリスタルエレメント（Crystal elements）で知られているもののような受動型空気清浄散布器、及びファブリックスプレー、空気清浄スプレー及び体臭消臭剤のようなエアゾルスプレーがある。
【００８２】
他の実施形態においては、悪臭低減組成物は、液相システムで使用するための配合組成とすることができる。そのようなシステムで使用する場合、蒸気圧は、２５℃で測定して、約０Ｐａ〜約２６６６Ｐａ（約０ｔｏｒｒ〜約２０ｔｏｒｒ）、又は約０．０１３Ｐａ〜約１３３３Ｐａ（約０．０００１ｔｏｒｒ〜約１０ｔｏｒｒ）とすることができる。液相システムの非限定例としては、洗濯用洗剤及び添加剤のような液体の洗濯用製品、食器洗剤、及びボディウォッシュ、シャンプー、コンディショナーのような個人衛生用製品がある。
【００８３】
また、悪臭低減組成物は、周知の方法によって周知の基材に添加又は混加することができる。好適な基材としては、織布及び不織布（例えば、紙製品用のセルロース繊維、スポンジなど）を挙げることができる。このような基材は、おむつ、乳児用おしり拭き、成人用失禁用品、生理用ナプキン及びタンポンなどの婦人衛生製品、トイレの洗浄棒、ペットフード包装、ペーパータオル、化粧紙などを製造するために使用することができる。
【００８４】
また、適切な基材として、（ＬＤＰＥ）、（ＬＬＤＰＥ）、（ＨＤＰＥ）、プラスとマー、エラストマー、エチレン酢酸ビニル、エチルメタクリレート、ポリメチルペンテンコポリマー、ポリイソブチレン、ポリオレフィン異性体、環状オレフィンコポリマー、ポリエチレン、ポリプロピレン、ポリ乳酸系フィルム、ポリヒドロキシアルコール系フィルム、ポリヒドロキシ酪酸／吉草酸、ポリエステル、熱可塑性デンプン、及びこれらの組み合わせを含む市販のフィルムをも挙げることができる。これらのプラスチックフィルムは、非使い捨て式のコンポスティング容器、ごみ袋、保存用バッグなどを製造するために使用することができる。実施例１（無エネルギー源型製造品用の清浄用組成物）。
【実施例】
【００８５】
実施例１（無エネルギー源製造品用の清浄用組成物）
【００８６】
【表１２】
2015520619.tif 000014
*任意の香料を使用可能。
【００８７】
範囲は組成物全量の重量パーセントで示す
【００８８】
【表１３】
2015520619.tif 000015
【００８９】
ファブリーズ・セット・アンドリフレッシュ（Ｆｅｂｒｅｚｅ（登録商標）Ｓｅｔ  ＆  Ｒｅｆｒｅｓｈ（商標））無エネルギー源型エアフレッシュナーに５．５ｍＬの上記組成物を充填する。結果的に得られるエアフレッシュナーは、芳香強度が低く、悪臭の低減に有効である。
【００９０】
実施例２（有エネルギー源型製造品用の清浄用組成物）
【００９１】
【表１４】
2015520619.tif 000016
*任意の香料を使用可能
【００９２】
【表１５】
2015520619.tif 000017
【００９３】
ファブリーズ・ノティシアブル（Ｆｅｂｒｅｚｅ（登録商標）Ｎｏｔｉｃｅａｂｌｅｓ（商標））有エネルギー源型空気清浄装置に上記組成物を充填する。結果的に得られるエアフレッシュナーは、芳香強度が低く、悪臭の低減に有効である。
【００９４】
分析試験−アミン系及び硫黄系悪臭に対する揮発性アルデヒドの効果
１ｍＬのｎ−ブチルアミン（アミン系の悪臭）又は１−ブタンチオール（硫黄系の悪臭）を１．２リットルのガスサンプリングバッグの中にピペットで注入することにより、悪臭標準試料を調製する。次に、このバッグに窒素を容量まで充填し、少なくとも１２時間にわたって静置して、平衡状態にする。
【００９５】
表７に掲げる各揮発性アルデヒド及び各アコード（Ａ、Ｂ及びＣ）のそれぞれ１μＬの試料を、ピペットで１０ｍＬのシラン加工ヘッドスペースバイアル中に注入する。バイアルを密封し、少なくとも１２時間にわたって平衡させる。この操作を各試料について４回繰り返す（ブチルアミン分析に２回、ブタンチオール分析に２回）。
【００９６】
平衡化期間後、１．５ｍＬの標的悪臭標準試料を各１０ｍＬバイアルに注入する。チオール分析については、試料と悪臭標準試料とが入ったバイアルを３０分間室温に保つ。次に、１ｍＬヘッドスペースシリンジを用いて、２５０μＬの各チオール悪臭試料をＧＣ／ＭＳのスプリット／スプリットレス注入口から注入する。アミン分析については、１ｍＬヘッドスペースシリンジを用いて、各アミン悪臭試料５００μＬを直ちにＧＣ／ＭＳのスプリット／スプリットレス注入口から注入する。アミン分析では、ＧＣピローを用いてランタイムを短縮する。
【００９７】
次に、スタティックヘッドスペース機能を有するＭＰＳ−２オートサンプラー装置を備えた２０ｍ長、１μｍ膜厚のＤＢ−５カラムを有するＧＣ／ＭＳを使用して試料を分析する。各全イオン電流（チオールについて５６点及びアミンについて３０点）上のイオン抽出によってデータを分析し、その面積を用いて各試料の悪臭基準試料からのパーセント低減率を計算する。
【００９８】
表８は、一部のアルデヒドの４０秒及び３０分の時点におけるそれぞれアミン系及び硫黄系悪臭を中和する効果を示す。
【００９９】
【表１６】
2015520619.tif 000018
【０１００】
表９は、アコードＡ、Ｂ及びＣについての４０秒及び３０分の時点におけるそれぞれブチルアミン及びブタンチオールのパーセント低減率を示す。
【０１０１】
【表１７】
2015520619.tif 000019
【０１０２】
分析試験−硫黄系悪臭に対する酸触媒の効果
硫黄系悪臭における酸触媒の効果を試験するために、上記分析試験を、酸触媒を含有する試料を用いて繰り返す。具体的には、以下の対照及び酸触媒試料の各々の１μＬアリコートを、二通り用意した個別の１０ｍＬシラン加工ヘッドスペースバイアルにピペットで注入する。すなわち、対照としてのＴＣ、ＴＣと、ＤＰＭ中０．０４％、ＤＰＭ中０．１０％、ＤＰＭ中０．４３％、ＤＰＭ中１．０２％、及びＤＰＭ中２．０４％の次の各酸触媒との５０／５０混合物、すなわち、フェノール、メシチレン酸、カプリル酸、コハク酸、ピバル酸、チグリン酸、及び安息香酸。
【０１０３】
図１は、低蒸気圧酸触媒が、対照と比較して最大３倍高い硫黄系悪臭低減効果をもたらすことを示している。
【０１０４】
分析試験−アミン系及び硫黄系悪臭に対するアルデヒド及び酸触媒の効果
本発明によるアコードＡ、Ｂ、及びＣから選択されるアルデヒド及び表１０及び１１に概要を示す酸触媒を含有する試料組成を用いて、上記の分析試験を繰り返す。
【０１０５】
表１０及び１１は、わずか１％のアルデヒドと共に１．５％の酸触媒を含有する香料混合物が、アルデヒド含有率が５％の同じ香料混合物よりブチルアミン及びブタンチオールの低減効果が優れていることを示している。
【０１０６】
【表１８】
2015520619.tif 000020
【０１０７】
【表１９】
2015520619.tif 000021
【０１０８】
感覚試験−廃棄物硫黄系及びアミン系悪臭に対する効果、及び使われている芳香レベル
硫黄系及びアミン系のゴミ臭に対して、組成物Ａ（表１）及び組成物Ｂ（表２）をここに記載する方法によって評価する：
【０１０９】
フィッシュミックス調理食（アミン系悪臭）
スターキスト（StarKist（商標））固形白ビンナガまぐろ、１４１．７ｇ（５オンス）水煮缶詰を使用
【０１１０】
試料調製：１３ガロンごみ袋
１）まぐろ缶詰を開け、中の水を流しに捨てる（缶と蓋は残す）。
２）まぐろを容器中に空ける（まぐろは５グラムだけあればよく、缶は残しておく）。
３）まぐろ缶詰の缶蓋を試料ごみ袋に入れ、５グラムのまぐろをゴミ袋内容物に加える。
４）開いたままの試料入りごみ袋をドラフト内に置いて、２４時間及び／又は４８時間熟成させる。
注：４８時間の試料は、効果試験の２日前に調製する。
【０１１１】
チキンミックス調理食（硫黄系悪臭）
タイソン（Tyson）（商標）骨なし胸肉のみを使用する。肉汁を多く含むパッケージを選ぶ、通常胸肉３個入で〜４５４グラム（１ポンド）。
【０１１２】
試料調製：１３ガロンごみ袋
１）鶏肉の下からおむつを取り出して、計量する：重さの目標は１００グラムである。
Ａ．おむつ重量を目標の１００グラムに合わせる。
１００グラムに満たない場合はパッケージから肉汁をおむつに加える。
１００グラムを上回る場合は、おむつから余分の肉汁を絞り出す。
Ｂ．重量がぴったり１００ｇｍの場合は、おむつを試料ごみ袋に入れる。
２）２５グラムの鶏肉を小さな塊にぶつ切りし、おむつを入れたゴミ袋に入れる。
３）開いたままの試料入りごみ袋をドラフト内に置いて、２４時間及び／又は４８時間熟成させる。
注：４８時間の試料は、効果試験の２日前に調製する。
【０１１３】
試料評価手順：４８時間のエイジング後
１）丈のある台所用ごみ入れ缶に、開いたままの試料入りごみ袋をその上部が缶の上部を覆うように引き伸ばして入れる。
Ａ）ごみ混合物が十分に露出されるよう、缶内部で袋をもつれ絡ませないように注意する。
Ｂ）ごみ入れ缶の上部をアルミホイルで覆い、縁部の回りをシールする。
Ｃ）このように準備したごみ入れ缶を、評価のため、換気のよい場所に置く。
Ｄ）少なくとも１５分後、評価員にアルミホイルの角を持ち上げて匂いをかぐことにより、ごみの悪臭を評価するよう指示する。
注：
１）参照対照を調製して、他の試料と同時に評価するべきである。その対照は評価員にそれと知らせるべきである試験には、さらなる対照レップを、どれがそうであるかを評価員に知らせることなく含めることができる。
２）強度等級は、表１２に示す基準を用いた悪臭分級に基づく。
【０１１４】
【表２０】
2015520619.tif 000022
【０１１５】
表１３は、本発明による無香料混合物又は低香料の試験用混合物は、無香料の対照と比較して、より大きな悪臭低減をもたらす一方、注目すべき点として、芳香強度は対照と等しいか、それより弱いうことをはっきり示している。
【０１１６】
【表２１】
2015520619.tif 000023
【０１１７】
感覚試験−低香料エアフレッシュナーの芳香強度及び悪臭の効力
本発明による悪臭低減組成物を無エネルギー源型膜式エアフレッシュナーで評価して、それら組成物の芳香強度及び悪臭の効力を定量した。
【０１１８】
芳香強度を定量するために、各試験用組成物５ｇを表面積約３ｃｍ2の微多孔膜（Ｔｅｓｌｉｎ  １１００ＨＤ、ＰＰＧ  Ｉｎｄｕｓｔｒｉｅｓ  Ｍｏｎｒｏｖｉｌｌｅ、ＰＡ）を用いて空のＦｅｂｒｅｚｅ  Ｓｅｔ  ＆  Ｒｅｆｒｅｓｈ（商標）無エネルギー源型エアフレッシュナーに入れる。試料は、確実に微多孔膜が十分に浸されるようにするために調製から２４時間後に試験する。
【０１１９】
評価は、床面積９．２９平方メートル（１００平方フィート）及び天井高２．４３ｍ（８フィート）の部屋で行なう。評価室は、アルミフレーミングのガラス壁を備えた構造とする。後部壁及び天井は、非吸収性の洗浄面が得られるようアルミ複合パネルで組み立てる。室温範囲は、２１℃±−１６℃（７０°Ｆ±３°Ｆ）に制御する。室内相対湿度は、４０％ＲＨ±５％に制御する。空気は、扉近くの天井から供給し、後部壁上下部から排出する。試験時は、毎時２回の換気回数を維持する。室の中心にある天井ファンは、中速に設定する。
【０１２０】
試料は、パネリスト評価の１時間前に、評価室内の視界を遮蔽した試料スタンドに置く。この時間によって、試料は室内に効果的に拡散することができる。
【０１２１】
１時間のドウェルタイムの終了直後に、パネリストは、参加可能なパネリストの総数に応じて２〜５つのグループで室を評価する。１試験当たり４グループのパネリストがいる。パネリストは、評価室に入って評価を行う。パネリストは、室内を歩き回り、室全体の平均に基づいてスコアを付けるよう指示される。パネリストは、扉出入りによる試料間の秒差を最小限に抑えるために、室への出入りを一緒に行う。
【０１２２】
パネリストはそれぞれ、指定されたテストコード及び評価順序の投票用紙を受け取る。パネリストは無作為の順序で評価を行う。パネリストは、表１２による０〜１００のスケールに基づき室内芳香強度を評価することにより、投票用紙に記入する。スコアを表に集計し、各時間間隔毎平均の悪臭強度及び芳香強度のスコアを記録する。
【０１２３】
表１４は、本発明及び従来技術の組成物に対するこれらの強度評価の結果をまとめたものである。本発明の組成物は、従来技術の香料組成物と比較して芳香強度がより低い。
【０１２４】
【表２２】
2015520619.tif 000024
*任意の香料
【０１２５】
悪臭低減効果を定量するために、次の手順により悪臭を生成する：
ドラフト中にプレスト（Puresto）（商標）スキレットを置き、スイッチを入れて１２１Ｃ°（２５０°Ｆ）に加熱する。スキレットに８０グラムのクリスコ（Crisco）（登録商標）オイルを入れ、スキレットの蓋をする。そのまま１０分間置いて平衡させる。スキレットの蓋を取り、温度計で油温を確認する。みじん切りにした市販の調製済み水中ニンニク５０グラムをスキレットに入れる。スキレットの蓋をする。２．５分間、又はニンニクが茶色になり始めるが焦げ付かずに半透明になるまで火を通す。スキレットからニンニクを取り出す。３つの各シャーレにそれぞれニンニク５グラムを入れる。各シャーレにカバーを掛ける。
【０１２６】
試験室で悪臭低減効果を試験する。各試験室は、いずれも幅９９．７ｃｍ、奥行き６３．５ｃｍ、高さ×５４．７ｃｍ（幅３９．２５インチ、奥行き２５インチ、高さ２１．５インチ）、容積０．３４立方メートル（１２．２立方フィート）である。試験室はＥｌｅｃｔｒｏＴｅｃｈ  Ｓｙｓｔｅｍｓ（ペンシルバニア州グレンサイド）から購入することができる。試験室はそれぞれ、イリノイ州シカゴのＮｅｗａｒｋ  Ｅｌｅｃｔｒｏｎｉｃｓから購入されたファン（Ｎｅｗｗａｒｋカタログ＃７０Ｋ９９３２，１１５  ＶＡＣ，９０ＣＦＭ）を具備している。
【０１２７】
試験する試料組成物５ｇと共に、前述のＦｅｂｒｅｚｅ（登録商標）Ｓｅｔ  ＆  Ｒｅｆｒｅｓｈ（商標）無エネルギー源型エアフレッシュナーを用意する。調理済みニンニクを試験室内に導入する５分前に、各無エネルギー源型エアフレッシュナーをそれぞれ個々の試験室内の小型ファンの反対側に置く。
【０１２８】
５グラムのニンニクが入ったカバーを掛けた各シャーレを個々の試験室内のファンの前に入れる。１つの試験室には、受動型ディスペンサ装置を入れない。シャーレの蓋を取って、７０〜８０の初期臭気強度等級を得るのに十分なドウェルタイム（約２分）の間内容物を露出させる。試験室内で初期臭気強度等級に達したならば、試験室からシャーレを取り出す。
【０１２９】
所定の時間間隔で、熟練評価員が各試験室を開き、臭気強度に関して室内の臭いをかぎ、表１２の基準に基づいて悪臭強度のスコアを付ける。そのすぐ直後、熟練評価員は、芳香強度に関して同じ試験室の臭いをかぎ、やはり表１２中のスケールに基づいて芳香強度のスコアを付ける。試験室の扉は、順次評価を行う評価員の間は閉じられる。スコアを表に集計し、各時間間隔平均の悪臭強度及び芳香強度のスコアを記録する。
【０１３０】
表１２のスケールに基づいて悪臭強度を２０より低くするのに必要な時間を悪臭除去時間と見なす。本発明の悪臭低減組成物は、従来技術の香料組成物と同等の悪臭除去時間を有する。
【０１３１】
【表２３】
2015520619.tif 000025
*任意の望ましい香料
【０１３２】
本明細書に開示した寸法及び値は、記載された正確な数値に厳密に限定されるものと理解されるべきではない。むしろ、特に明記しない限り、そのような寸法のそれぞれは、記載された値及びその値の前後の機能的に同等の範囲の両方を意味するものとする。例えば、「４０ミリメートル」として開示される寸法は、「約４０ミリメートル」を意味するものである。
【０１３３】
任意の相互参照又は関連特許若しくは関連出願を含め、本明細書で引用するすべての文献は、明示的に除外するか、別途限定しない限り、そのすべてを参照により本明細書に援用する。いかなる文献の引用も、それが本明細書において開示されているか若しくは「特許請求の範囲」に記載されているいずれかの発明に関する先行技術であることを認めるものではなく、又はそれが単独で又は他のいかなる参考文献（単数若しくは複数）とのいかなる組み合わせにおいても、かかる発明を教示し、示唆し、又は開示していると認めるものでもない。更に、本文書において、用語の任意の意味又は定義の範囲が、参照により援用する文書中の同様の用語の任意の意味又は定義と矛盾する場合には、本文書中で用語に与えられる意味又は定義が優先するものとする。
【０１３４】
本発明の特定の実施形態を例示し、説明してきたが、本発明の趣旨及び範囲から逸脱することなく他の様々な変更及び修正を行ううる点は当業者にとっては自明であろう。したがって、本発明の範囲内に含まれるそれらのような変更及び修正はすべて、特許請求の範囲に包含されるものとする。
【図１】
2015520619.tif 000026
【国際調査報告】
2015520619.tif 000027
2015520619.tif 000028
2015520619.tif 000029
2015520619.tif 000030
2015520619.tif 000031
2015520619.tif 000032
2015520619.tif 000033